(57)【要約】【課題】  表示パネルの発光輝度のバラツキを改善し得る表示装置を提供する。【解決手段】  表示装置１は、表示パネル２と、各アドレス期間毎に表示ラインに順次走査パルスを印加する一方、走査パルスに同期したアドレスパルスを列電極に印加する駆動回路２４，１６，１７Ａ，１７Ｂと、走査パルスを表示ラインに印加する順序が互いに異なる複数種の走査モードの中から少なくとも１つの走査モードを選択するモード指定部２３とを有する。駆動回路２４，１６，１７Ａ，１７Ｂは、モード指定部で選択された走査モードに応じた順序で走査パルスを表示ラインに順次印加する。【選択図】    図１
2006284780.tif 000002
【特許請求の範囲】
【請求項１】
複数の表示ラインと前記表示ラインに交差する複数の列電極とを含み且つ前記表示ラインと前記列電極との交差点にそれぞれ形成された複数の表示セルを含む表示パネルと、各アドレス期間毎に前記表示ラインに順次走査パルスを印加する一方、前記走査パルスに同期したアドレスパルスを前記列電極に印加する駆動回路と、を備えた表示装置であって、
前記走査パルスを前記表示ラインに印加する順序が互いに異なる複数種の走査モードの中から少なくとも１つの走査モードを選択するモード指定部を有し、
前記駆動回路は、前記モード指定部で選択された走査モードに応じた順序で前記走査パルスを前記表示ラインに順次印加することを特徴とする表示装置。
【請求項２】
請求項１記載の表示装置であって、前記複数種の走査モードは、
前記表示パネルの上端の表示ラインから下端の表示ラインに向かって前記走査パルスが順次印加される第１の走査モードと、
前記表示パネルの下端の表示ラインから上端の表示ラインに向かって前記走査パルスが順次印加される第２の走査モードと、を含み、
前記モード指定部は、前記第１または第２の走査モードのいずれか一方を選択し得ることを特徴とする表示装置。
【請求項３】
請求項２記載の表示装置であって、前記表示パネル上の走査領域は、各々が連続的に配列された複数の表示ラインを含む第１乃至第Ｎの領域（Ｎは２以上の整数）からなり、
前記複数種の走査モードは、前記走査パルスの印加毎に、前記走査パルスを印加すべき表示ラインが前記第１乃至第Ｎの領域間で切り換えられる第３の走査モードを含むことを特徴とする表示装置。
【請求項４】
請求項３記載の表示装置であって、前記表示パネル上の走査領域は、当該表示パネルの上端から略中央位置までの表示ラインを含む領域を前記第１の領域として有するとともに、当該表示パネルの下端から略中央位置までの表示ラインを含む領域を前記第２の領域として有し、
前記第３の走査モードでは、前記第１の領域の上端の表示ラインから下端の表示ラインに向かって前記走査パルスが順次印加され、前記第２の領域の下端の表示ラインから上端の表示ラインに向かって前記走査パルスが順次印加されるとともに、前記走査パルスの印加毎に、前記走査パルスを印加すべき表示ラインが前記第１および第２の領域間で切り換えられることを特徴とする表示装置。
【請求項５】
請求項３記載の表示装置であって、前記表示パネル上の走査領域は、当該表示パネルの上端から略中央位置までの表示ラインを含む領域を前記第１の領域として有するとともに、当該表示パネルの下端から略中央位置までの表示ラインを含む領域を前記第２の領域として有し、
前記第３の走査モードでは、前記第１の領域の下端の表示ラインから上端の表示ラインに向かって前記走査パルスが順次印加され、前記第２の領域の上端の表示ラインから下端の表示ラインに向かって前記走査パルスが順次印加されるとともに、前記走査パルスの印加毎に、前記走査パルスを印加すべき表示ラインが前記第１および第２の領域間で切り換えられることを特徴とする表示装置。
【請求項６】
請求項３記載の表示装置であって、前記表示パネル上の走査領域は、当該表示パネルの上端から略中央位置までの表示ラインを含む領域を前記第１の領域として有するとともに、当該表示パネルの下端から略中央位置までの表示ラインを含む領域を前記第２の領域として有し、
前記第３の走査モードでは、前記第１の領域の上端の表示ラインから下端の表示ラインに向かって前記走査パルスが順次印加され、前記第２の領域の上端の表示ラインから下端の表示ラインに向かって前記走査パルスが順次印加されるとともに、前記走査パルスの印加毎に、前記走査パルスを印加すべき表示ラインが前記第１および第２の領域間で切り換えられることを特徴とする表示装置。
【請求項７】
請求項３記載の表示装置であって、前記表示パネル上の走査領域は、当該表示パネルの上端から略中央位置までの表示ラインを含む領域を前記第１の領域として有するとともに、当該表示パネルの下端から略中央位置までの表示ラインを含む領域を前記第２の領域として有し、
前記第３の走査モードでは、前記第１の領域の下端の表示ラインから上端の表示ラインに向かって前記走査パルスが順次印加され、前記第２の領域の下端の表示ラインから上端の表示ラインに向かって前記走査パルスが順次印加されるとともに、前記走査パルスの印加毎に、前記走査パルスを印加すべき表示ラインが前記第１および第２の領域間で切り換えられることを特徴とする表示装置。
【請求項８】
請求項２記載の表示装置であって、前記複数種の走査モードは、
前記表示パネルの上端の表示ラインから略中央位置の表示ラインに向かって前記走査パルスが順次印加される第３の走査モードと、
前記表示パネルの下端の表示ラインから略中央位置の表示ラインに向かって前記走査パルスが順次印加される第４の走査モードと、
前記表示パネルの略中央位置の表示ラインから上端の表示ラインに向かって前記走査パルスが順次印加される第５の走査モードと、
前記表示パネルの略中央位置の表示ラインから下端の表示ラインに向かって前記走査パルスが順次印加される第６の走査モードと、を含み、
前記モード指定部は、前記アドレス期間の前半部分に対して、前記第３から第６の走査モードのうちから１つの走査モードを選択し得て、前記アドレス期間の後半部分に対して、第３から第６の走査モードのうちから１つの走査モードを選択し得ることを特徴とする表示装置。
【請求項９】
請求項２記載の表示装置であって、前記駆動回路は、前記表示ラインのうち上端から略中央位置までの表示ラインを含む第１領域に形成された列電極のみに前記アドレスパルスを印加する第１アドレス駆動回路と、前記第１領域の表示ライン以外の表示ラインを含む第２領域に形成された列電極のみに前記アドレスパルスを印加する第２アドレス駆動回路と、を含み、
前記複数種の走査モードは、
前記第１領域の上端の表示ラインから略中央位置の表示ラインに向かって前記走査パルスが順次印加される第３の走査モードと、
前記第２領域の下端の表示ラインから略中央位置の表示ラインに向かって前記走査パルスが順次印加される第４の走査モードと、
前記第１領域の略中央位置の表示ラインから上端の表示ラインに向かって前記走査パルスが順次印加される第５の走査モードと、
前記第２領域の略中央位置の表示ラインから下端の表示ラインに向かって前記走査パルスが順次印加される第６の走査モードと、を含み、
前記モード指定部は、前記第３または第５の走査モードのいずれか一方を選択し得るとともに前記第４または第６の走査モードのいずれか一方を選択し得ることを特徴とする表示装置。
【請求項１０】
請求項１から９のうちのいずれか１項に記載の表示装置であって、前記複数種の走査モードの中から少なくとも１つを選択するためのデータが入力される入力部をさらに備え、前記モード指定部は、前記入力部で入力されたデータに従って前記走査モードを選択することを特徴とする表示装置。
【請求項１１】
請求項１から１０のうちのいずれか１項に記載の表示装置であって、前記表示パネルはプラズマディスプレイパネルであることを特徴とする表示装置。
【発明の詳細な説明】
【技術分野】
【０００１】
本発明は、プラズマディスプレイパネルなどの表示パネルを駆動する技術に関し、特に、表示パネルに走査パルスを印加する技術に関する。
【背景技術】
【０００２】
プラズマディスプレイは、対向する前面ガラス基板と背面基板との間に放電ガスが封入された放電空間を有している。前面ガラス基板の内面には、行方向に伸長する２本の帯状電極からなる行電極対が複数形成されており、背面基板の内面には、列方向に伸長する帯状の列電極が複数形成されている。各行電極対で１本の表示ラインを構成することができる。行電極対と列電極との交差点には、それぞれ、内部に蛍光体が塗布された複数個の表示セル（放電セル）が形成されており、放電空間を複数の領域に区画する。このようなプラズマディスプレイに画像を表示するときは、表示セル内に壁電荷が選択的に形成され、行電極対を通して表示セルに放電維持パルスが繰り返し印加される。この結果、壁電荷が形成された表示セルではガス放電（維持放電）が発生し、これにより生じた紫外線により表示セル内の蛍光体が励起され光を発することとなる。
【０００３】
一般に、プラズマディスプレイの駆動方式としては、１枚の画像に相当する１フィールドを複数のサブフィールドに分割し、各サブフィールドにおける発光維持期間の比率を２のべき乗に設定し、これらサブフィールドの組み合わせで多階調表示を行うというサブフィールド法が採用されている。たとえば、８個のサブフィールドＳＦ１，ＳＦ２，…，ＳＦ８の発光維持期間の比率（すなわち輝度の重み）をそれぞれ２0 ：２1 ：２2 ：２3 ：２4 ：２5 ：２6 ：２7 、すなわち１：２：４：８：１６：３２：６４：１２８に設定すれば、これらサブフィールドの組み合わせで多階調表示を実現することが可能である。サブフィールド法に関する技術は、たとえば、特許文献１（特開２００４−４６０６号公報）に開示されている。
【０００４】
各サブフィールドは、たとえば、リセット期間とアドレス期間と放電維持期間とで構成されており、リセット期間では、表示セル内に残存している壁電荷を消去させる消去放電が生起され、アドレス期間では、表示セル内に壁電荷を選択的に形成させるアドレス放電が生起され、放電維持期間では、壁電荷が選択的に形成された表示セルを発光させるべく全表示セルに矩形波の放電維持パルスを繰り返し印加することで維持放電が生起される。      
【０００５】
このようなプラズマディスプレイでは、各表示セル内に形成された蛍光体層の膜厚のバラツキや経年変化に起因して、表示パネル全体で発光輝度のバラツキが生じ、画質低下を招くという問題がある。たとえば、或る表示セル内の蛍光体層の膜厚が他の表示セル内の蛍光体層の膜厚よりも薄ければ、当該他の表示セルでアドレス放電が起こりやすく、両者の表示セル間で発光輝度の差が生じ得る。また、各アドレス期間では、表示ライン上の行電極に走査パルスが順次印加され、各走査パルスに同期したアドレスパルスが列電極に印加されるが、最初に走査パルスが印加された表示ラインと比べて、最後に走査パルスが印加された表示ライン上の表示セルではアドレス放電が起こり難く、これにより表示ライン間で発光輝度に差が生じるという問題がある。
【特許文献１】特開２００４−４６０６号公報
【発明の開示】
【発明が解決しようとする課題】
【０００６】
以上の状況などに鑑みて本発明の目的は、表示パネルの発光輝度のバラツキを改善し得る表示装置を提供する点にある。
【課題を解決するための手段】
【０００７】
上記目的を達成すべく、請求項１記載の発明は、複数の表示ラインと前記表示ラインに交差する複数の列電極とを含み且つ前記表示ラインと前記列電極との交差点にそれぞれ形成された複数の表示セルを含む表示パネルと、各アドレス期間毎に前記表示ラインに順次走査パルスを印加する一方、前記走査パルスに同期したアドレスパルスを前記列電極に印加する駆動回路と、を備えた表示装置であって、前記走査パルスを前記表示ラインに印加する順序が互いに異なる複数種の走査モードの中から少なくとも１つの走査モードを選択するモード指定部を有し、前記駆動回路は、前記モード指定部で選択された走査モードに応じた順序で前記走査パルスを前記表示ラインに順次印加することを特徴としている。
【発明を実施するための最良の形態】
【０００８】
以下、本発明に係る種々の実施例について説明する。
【０００９】
図１は、本発明に係る一実施例であるプラズマディスプレイ（表示装置）１の構成を概略的に示すブロック図である。このプラズマディスプレイ１は、表示パネル（プラズマディスプレイパネル）２と、表示パネル２内の表示セル（放電セル）ＣＬ，…，ＣＬに各種駆動パルスを供給するアドレス電極ドライバ１６および維持電極ドライバ１７Ａ，１７Ｂとを備えている。プラズマディスプレイ１は、さらに、駆動データ生成部１３，メモリ回路１４およびコントローラ２１を備えている。コントローラ２１は、外部から供給される同期信号（水平同期信号と垂直同期信号を含む。）およびクロック信号を用いて処理ブロック１３，１４，１６，１７Ａ，１７Ｂの動作を制御する。
【００１０】
駆動データ生成部１３は、デジタル映像信号ＰＤから駆動データ信号ＧＤを生成しこれをメモリ回路１４に供給する。メモリ回路１４は、供給された駆動データ信号ＧＤを内部のバッファメモリ（図示せず）に一時的に記憶する一方、当該バッファメモリに記憶されている駆動データ信号をサブフィールド単位で読み出しアドレス電極ドライバ１６に供給する。アドレス電極ドライバ１６は、メモリ回路１４から供給されたフィールドデータ信号ＳＤに基づいてアドレスパルスを発生し、コントローラ２１によって指定されたタイミングにてこれらアドレスパルスをアドレス電極Ｄ1 〜Ｄr に印加する。
【００１１】
表示パネル２は、面状に且つマトリクス状に配列されている複数の表示セルＣＬ，ＣＬ，…と、アドレス電極ドライバ１６からＹ方向に伸長するｒ本（ｒは２以上の整数）のアドレス電極Ｄ1 ，Ｄ2 ，…，Ｄr と、第１維持電極ドライバ１７Ａから、Ｙ方向と直交するＸ方向に伸長するｎ本（ｎは２以上の整数）の帯状の維持電極Ｌ1 ，Ｌ2 ，…，Ｌn と、第２維持電極ドライバ１７Ｂから−Ｘ方向に伸長するｎ本の帯状の維持電極Ｓ1 ，Ｓ2 …，Ｓn とを有する。本実施例では、１本のアドレス電極Ｄp （ｐは１〜ｒの整数）で１本の列電極が構成され、２本の維持電極Ｌq と維持電極Ｓq （ｑは１〜ｎの整数）とで１本の行電極対が構成され、各行電極対に沿って１本の表示ラインが形成される。アドレス電極Ｄp と行電極対とは表示パネル２の基板（図示せず）の厚み方向に離間している。アドレス電極Ｄ1 ，…，Ｄr と行電極対との交差点にはそれぞれ表示セルＣＬ，…，ＣＬが形成されている。各表示セルＣＬは、所定の発光色を持つ蛍光体を有し、行電極対とアドレス電極Ｄp との間に放電空間を有する。これら表示セルＣＬ，…の複数個で１個の画素セルが構成される。
【００１２】
コントローラ２１は、所定の発光駆動シーケンスに従って発光駆動制御を実行する。図２に、発光駆動シーケンスの一例を概略的に示す。図２を参照すると、映像信号の１フィールドの表示期間は、表示順に連続的に配列されたＭ個（Ｍは２以上の整数）のサブフィールドＳＦ1 〜ＳＦM の期間（サブフィールド期間）で構成されており、サブフィールドＳＦ1 〜ＳＦM の各々は、アドレス期間Ｔｗと維持期間Ｔｉを有している。先頭のサブフィールドＳＦ1 のみが、アドレス期間Ｔｗの前にリセット期間Ｔｒを有している。サブフィールドＳＦ1 ，ＳＦ2 ，ＳＦ3 ，…，ＳＦM には、それぞれ、２0 ，２1 ，２2 ，…，２M の重みに比例する発光維持期間Ｔｉ，Ｔｉ，Ｔｉ，…，Ｔｉが割り当てられている。
【００１３】
サブフィールドＳＦ1 のリセット期間Ｔｒでは、全ての表示セルＣＬ，…にガス放電が生起させられ、全ての表示セルＣＬ，…に壁電荷が蓄積される。続くアドレス期間Ｔｗでは、維持電極ドライバ１７Ａは、走査パルスを順次維持電極Ｌ1 〜Ｌn に印加する一方、アドレス電極ドライバ１６は、走査パルスと同期したアドレスパルスをアドレス電極Ｄ1 ，…，Ｄr に印加する。この結果、表示セルＣＬ，…に選択的にガス放電（消去アドレス放電）が起こり、壁電荷が選択的に消去させられる。壁電荷が消去されずに蓄積されている表示セルＣＬが次の維持期間Ｔｉで発光させられる。維持期間Ｔｉでは、維持電極ドライバ１７Ａおよび１７Ｂが、それぞれ、維持電極Ｌ1 ，…，Ｌn および維持電極Ｓ1 ，…，Ｓn に、互いに極性の異なる放電維持パルスを割り当てられた回数だけ繰り返し印加する。この結果、壁電荷が蓄積されている表示セルＣＬに維持放電が繰り返し起こり、表示セルＣＬ内の蛍光体が励起されて発光することとなる。続くサブフィールドＳＦ2 〜ＳＦM の各々で、アドレス期間Ｔｗでは、表示セルＣＬ，…に選択的にガス放電（消去アドレス放電）が生起され、壁電荷が選択的に消去させられる。また、維持期間Ｔｉでは、壁電荷が蓄積されている表示セルＣＬに、当該サブフィールドに割り当てられた回数の維持放電が繰り返し生起させられる。このような発光駆動シーケンスにより、Ｍ＋１階調表示が可能となる。
【００１４】
コントローラ２１は、上記の如き発光駆動シーケンスを制御する駆動制御部２４を有している。ここで、アドレス電極ドライバ１６と維持電極ドライバ１７Ａ，１７Ｂと駆動制御部２４とで本発明の駆動回路が構成され得る。この駆動制御部２４は、走査パルスを行電極に印加する順序が異なる複数種類の走査モードのデータセットを内部の不揮発性メモリ（図示せず）に保持している。モード指定部２３は、これら複数種類の走査モードの中から少なくとも１つの走査モードを選択し、当該選択された走査モードを駆動制御部２４に指示する。駆動制御部２４は、この指示に応じた走査モードのデータを内部メモリから読み出し、当該走査モードに従って維持電極ドライバ１７Ａが走査パルスを行電極に順次印加するように制御信号を生成し維持電極ドライバ１７Ａに供給する。
【００１５】
図３（Ａ），（Ｂ）は、１つのアドレス期間における各種走査モードを説明するための図である。各図において、１番目からｎ番目の表示ライン上の走査電極（維持電極）Ｌ1 ，Ｌ2 ，…，Ｌn に順次印加された走査パルス３０Ａ，３０Ｂが示されている。図３（Ａ）では、表示パネル２の上端の１番目表示ラインから下端のｎ番目表示ラインに向かって走査パルス３０Ａが順次印加される走査モードが示されており、図３（Ｂ）では、表示パネル２の下端のｎ番目表示ラインから上端の１番目表示ラインに向かって走査パルス３０Ｂが順次印加される走査モードが示されている。
【００１６】
また、図４（Ａ），（Ｂ），（Ｃ），（Ｄ），（Ｅ），（Ｆ）は、１つのアドレス期間における各種走査モードの他の例を説明するための図である。表示パネル２の走査領域は、表示パネル２の上端の１番目表示ラインから略中央位置のｍ番目表示ライン（ｍは２〜ｎ−１の整数）を含む第１走査領域と、表示パネル２の略中央位置のｍ＋１番目表示ラインから下端のｎ番目表示ラインを含む第２走査領域とに分かれている。
【００１７】
図４（Ａ）の走査モードでは、第１走査領域の上端の１番目表示ラインから下端のｍ番目表示ラインに向かって走査パルス３１Ａが順次印加され、第２走査領域の下端のｎ番目表示ラインから上端のｍ＋１番目表示ラインに向かって走査パルス３１Ｂが順次印加されている。ここで、１つの走査パルスが表示ラインに印加される毎に、走査パルスを印加すべき表示ラインが第１走査領域と第２走査領域との間で切り換えられる。具体的な走査順序は、１番目の表示ライン（第１走査領域）、ｎ番目の表示ライン（第２走査領域）、２番目の表示ライン（第１走査領域）、ｎ−１番目の表示ライン（第２走査領域）、…、ｍ番目の表示ライン（第１走査領域）、ｍ＋１番目の表示ライン（第２走査領域）となる。
【００１８】
図４（Ｂ）の走査モードでは、第１走査領域の上端の１番目表示ラインから下端のｍ番目表示ラインに向かって走査パルス３２Ｂが順次印加され、第２走査領域の下端のｎ番目表示ラインから上端のｍ＋１番目表示ラインに向かって走査パルス３２Ａが順次印加されている。この走査モードは、走査パルスを印加すべき表示ラインを第２走査領域のｎ番目表示ラインから開始する点を除けば、図４（Ａ）の走査モードと同じである。具体的な走査順序は、ｎ番目の表示ライン（第２走査領域）、１番目の表示ライン（第１走査領域）、ｎ−１番目の表示ライン（第２走査領域）、２番目の表示ライン（第１走査領域）、…、ｍ＋１番目の表示ライン（第２走査領域）、ｍ番目の表示ライン（第１走査領域）、となる。
【００１９】
図４（Ｃ）の走査モードでは、第１走査領域の下端のｍ番目表示ラインから上端の１番目表示ラインに向かって走査パルス３３Ａが順次印加され、第２走査領域の上端のｍ＋１番目表示ラインから下端のｎ番目表示ラインに向かって走査パルス３３Ｂが順次印加されている。ここで、１つの走査パルスが表示ラインに印加される毎に、走査パルスを印加すべき表示ラインが第１走査領域と第２走査領域との間で切り換えられる。具体的な走査順序は、ｍ番目の表示ライン（第１走査領域）、ｍ＋１番目の表示ライン（第２走査領域）、ｍ−１番目の表示ライン（第１走査領域）、ｍ＋２番目の表示ライン（第２走査領域）、…、１番目の表示ライン（第１走査領域）、ｎ番目の表示ライン（第２走査領域）となる。
【００２０】
図４（Ｄ）の走査モードでは、第１走査領域の下端のｍ番目表示ラインから上端の１番目表示ラインに向かって走査パルス３４Ｂが順次印加され、第２走査領域の上端のｍ＋１番目表示ラインから下端のｎ番目表示ラインに向かって走査パルス３４Ａが順次印加されている。この走査モードは、走査パルスを印加すべき表示ラインを第２走査領域のｍ＋１番目表示ラインから開始する点を除けば、図４（Ｃ）の走査モードと同じである。具体的な走査順序は、ｍ＋１番目の表示ライン（第２走査領域）、ｍ番目の表示ライン（第１走査領域）、ｍ＋２番目の表示ライン（第２走査領域）、ｍ−１番目の表示ライン（第１走査領域）、…、ｎ番目の表示ライン（第２走査領域）、１番目の表示ライン（第１走査領域）となる。
【００２１】
図４（Ｅ）の走査モードでは、第１走査領域の下端のｍ番目表示ラインから上端の１番目表示ラインに向かって走査パルス３５Ａが順次印加され、第２走査領域の下端のｎ番目表示ラインから上端のｍ＋１番目表示ラインに向かって走査パルス３５Ｂが順次印加されている。ここで、１つの走査パルスが表示ラインに印加される毎に、走査パルスを印加すべき表示ラインが第１走査領域と第２走査領域との間で切り換えられる。具体的な走査順序は、ｍ番目の表示ライン（第１走査領域）、ｎ番目の表示ライン（第２走査領域）、ｍ−１番目の表示ライン（第１走査領域）、ｎ−１番目の表示ライン（第２走査領域）、…、１番目の表示ライン（第１走査領域）、ｍ＋１番目の表示ライン（第２走査領域）となる。
【００２２】
図４（Ｆ）の走査モードでは、第１走査領域の上端の１番目表示ラインから下端のｍ番目表示ラインに向かって走査パルス３６Ａが順次印加され、第２走査領域の上端のｍ＋１番目表示ラインから下端のｎ番目表示ラインに向かって走査パルス３６Ｂが順次印加されている。ここで、１つの走査パルスが表示ラインに印加される毎に、走査パルスを印加すべき表示ラインが第１走査領域と第２走査領域との間で切り換えられる。具体的な走査順序は、１番目の表示ライン（第１走査領域）、ｍ＋１番目の表示ライン（第２走査領域）、２番目の表示ライン（第１走査領域）、ｍ＋２番目の表示ライン（第２走査領域）、…、ｍ番目の表示ライン（第１走査領域）、ｎ番目の表示ライン（第２走査領域）となる。
【００２３】
なお、図４（Ａ）〜（Ｆ）では、表示パネル２上の走査領域を２領域に分けたが、本発明ではこれに限定されない。たとえば、表示パネル２上の走査領域を第１乃至第Ｎの領域（Ｎは３以上の整数）に分けることが可能である。そして、走査パルスの印加毎に、走査パルスを印加すべき表示ラインを第１乃至第Ｎの領域間で切り換えてもよい。
【００２４】
さらに、図５（Ａ），（Ｂ），（Ｃ），（Ｄ），（Ｅ），（Ｆ）は、１つのアドレス期間における各種走査モードのさらに他の例を説明するための図である。アドレス期間は、前半期間Ｔ１と後半期間Ｔ２とに分割され、前半期間Ｔ１と後半期間Ｔ２とで異なる走査モードが割り当てられている。すなわち、図５（Ａ）では、前半期間Ｔ１において、表示パネル２の上端の１番目表示ラインから略中央位置のｍ番目表示ライン（ｍは２〜ｎ−１の整数）に向かって走査パルス４１Ａが順次印加される走査モードが示され、後半期間Ｔ２においては、表示パネル２の下端のｎ番目表示ラインから略中央位置のｍ＋１番目表示ラインに向かって走査パルス４４Ａが順次印加される走査モードが示されている。
【００２５】
図５（Ｂ）では、前半期間Ｔ１において、表示パネル２の下端のｎ番目表示ラインから略中央位置のｍ＋１番目表示ラインに向かって走査パルス４２Ａが順次印加される走査モードが示され、後半期間Ｔ２においては、表示パネル２の上端の１番目表示ラインから略中央位置のｍ番目表示ラインに向かって走査パルス４３Ａが順次印加される走査モードが示されている。
【００２６】
図５（Ｃ）では、前半期間Ｔ１において、表示パネル２の略中央位置のｍ番目表示ラインから上端の１番目表示ラインに向かって走査パルス４１Ｂが順次印加される走査モードが示され、後半期間Ｔ２においては、表示パネル２の略中央位置のｍ＋１番目表示ラインから下端のｎ番目表示ラインに向かって走査パルス４４Ｂが順次印加される走査モードが示されている。
【００２７】
図５（Ｄ）では、前半期間Ｔ１において、表示パネル２の略中央位置のｍ＋１番目表示ラインから下端のｎ番目表示ラインに向かって走査パルス４２Ｂが順次印加される走査モードが示され、後半期間Ｔ２においては、表示パネル２の略中央位置のｍ番目表示ラインから上端の１番目表示ラインに向かって走査パルス４３Ｂが順次印加される走査モードが示されている。
【００２８】
図５（Ｅ）では、前半期間Ｔ１において、表示パネル２の略中央位置のｍ番目表示ラインから上端の１番目表示ラインに向かって走査パルス４１Ａが順次印加される走査モードが示され、後半期間Ｔ２においては、表示パネル２の下端のｎ番目表示ラインから略中央位置のｍ＋１番目表示ラインに向かって走査パルス４４Ｂが順次印加される走査モードが示されている。
【００２９】
図５（Ｆ）では、前半期間Ｔ１において、表示パネル２の略中央位置のｍ＋１番目表示ラインから下端のｎ番目表示ラインに向かって走査パルス４２Ｂが順次印加される走査モードが示され、後半期間Ｔ２においては、表示パネル２の上端の１番目表示ラインから略中央位置のｍ番目表示ラインに向かって走査パルス４３Ａが順次印加される走査モードが示されている。
【００３０】
モード指定部２３は、図３（Ａ），（Ｂ）、図４（Ａ），（Ｂ），（Ｃ），（Ｄ），（Ｅ），（Ｆ）および図５（Ａ），（Ｂ），（Ｃ），（Ｄ），（Ｅ），（Ｆ）で示された走査モードのうちいずれか１つの走査モードを各アドレス期間毎に選択することができる。また、ユーザーはプラズマディスプレイ１の出荷前または出荷後に入力部２２を操作して、いずれか１つの走査モードを選択することが可能である。したがって、表示パネル２の発光特性のバラツキや経時変化に対して最適な走査モードを適宜選択することにより、発光輝度のバラツキを改善し画質を向上させることが可能となる。
【００３１】
次に、本発明に係る他の実施例について説明する。図６は、他の実施例であるプラズマディスプレイ１Ａの構成を概略的に示すブロック図である。図１と図６の間で同じ符号を付された構成要素は同じ機能を有するものとしてその詳細な説明を省略する。
【００３２】
このプラズマディスプレイ１Ａの表示パネル２は、１番目からｎ番目の全表示ラインのうち上端の１番目から略中央位置のｍ番目までの表示ラインからなる第１領域と、略中央位置のｍ＋１番目から下端のｎ番目までの表示ラインからなる第２領域とを有している。
【００３３】
プラズマディスプレイ１Ａは、第１領域に形成された表示セルＣＬ，…にアドレスパルスを供給するアドレス電極ドライバ１６Ａと、第２領域に形成された表示セルＣＬ，…にアドレスパルスを供給するアドレス電極ドライバ１６Ｂとを有し、メモリ回路１４から供給されたフィールドデータ信号ＳＤを第１アドレス電極ドライバ１６Ａおよび第２アドレス電極ドライバ１６Ｂに与える出力回路１５とを有している。画像の上半分に相当するフィールドデータ信号ＳＤは第１アドレス電極ドライバ１６Ａに供給され、画像の下半分に相当するフィールドデータ信号ＳＤは第２アドレス電極ドライバ１６Ｂに供給される。また、表示パネル２には、第１アドレス電極ドライバ１６Ａから＋Ｙ方向に伸長するｒ本（ｒは２以上の整数）のアドレス電極Ｄ1 ，Ｄ2 ，…，Ｄr が形成されており、第２アドレス電極ドライバ１６Ｂから−Ｙ方向に伸長するｍ本のアドレス電極Ｋ1 ，Ｋ2 ，…，Ｋr が形成されている。
【００３４】
図７（Ａ），（Ｂ）は、１つのアドレス期間における各種走査モードの一例を説明するための図である。各図において、１番目からｎ番目の表示ライン上の走査電極（維持電極）Ｌ1 ，Ｌ2 ，…，Ｌn に順次印加された走査パルス５０Ａ，５１Ａ，５０Ｂ，５１Ｂが示されている。図７（Ａ）では、第１領域において上端の１番目表示ラインから略中央位置のｍ番目表示ラインに向かって走査パルス５０Ａが順次印加される走査モードが示され、第２領域においては、下端のｎ番目表示ラインから略中央位置のｍ＋１番目表示ラインに向かって走査パルス５１Ａが順次印加される走査モードが示されている。また、図７（Ｂ）では、第１領域において略中央位置のｍ番目表示ラインから上端の１番目表示ラインに向かって走査パルス５０Ｂが順次印加される走査モードが示され、第２領域においては、略中央位置のｍ＋１番目表示ラインから下端のｎ番目表示ラインに向かって走査パルス５１Ｂが順次印加される走査モードが示されている。
【００３５】
また、図７（Ｃ），（Ｄ）は、１つのアドレス期間における各種走査モードの他の例を説明するための図である。各図において、ｎ番目から１番目の表示ライン上の走査電極（維持電極）Ｌ1 ，Ｌ2 ，…，Ｌn に順次印加された走査パルス５２Ａ，５３Ａ，５２Ｂ，５３Ｂが示されている。この例は、表示ラインの順番が図７（Ａ），（Ｂ）の順番とは逆になっている場合、換言すれば、表示パネル２が上下方向逆になっている場合の例である。図７（Ｃ）では、第２領域において上端のｎ番目表示ラインから略中央位置のｍ＋１番目表示ラインに向かって走査パルス５２Ａが順次印加される走査モードが示され、第１領域においては、下端の１番目表示ラインから略中央位置のｍ番目表示ラインに向かって走査パルス５３Ａが順次印加される走査モードが示されている。図７（Ｄ）では、第２領域において略中央位置のｍ＋１番目表示ラインから上端のｎ番目表示ラインに向かって走査パルス５２Ｂが順次印加される走査モードが示され、第１領域においては、略中央位置のｍ番目表示ラインから下端の１番目表示ラインに向かって走査パルス５３Ｂが順次印加される走査モードが示されている。
【００３６】
モード指定部２３は、図７（Ａ），（Ｂ），（Ｃ），（Ｄ）で示された走査モードのうちいずれか１つを各アドレス期間毎に選択することができる。また、ユーザーはプラズマディスプレイ１の出荷前または出荷後に入力部２２を操作して、いずれか１つの走査モードを選択することが可能である。したがって、表示パネル２の発光特性のバラツキや経時変化に応じて最適な走査モードを適宜選択することにより、発光輝度のバラツキを改善し画質を向上させることが可能となる。
【図面の簡単な説明】
【００３７】
【図１】本発明に係る一実施例であるプラズマディスプレイ（表示装置）の構成を概略的に示すブロック図である。
【図２】発光駆動シーケンスの一例を概略的に示す図である。
【図３】１つのアドレス期間における各種走査モードの例を説明するための図である。
【図４】１つのアドレス期間における各種走査モードの他の例を説明するための図である。
【図５】１つのアドレス期間における各種走査モードのさらに他の例を説明するための図である。
【図６】本発明に係る他の実施例であるプラズマディスプレイ１Ａの構成を概略的に示すブロック図である。
【図７】１つのアドレス期間における各種走査モードの例を説明するための図である。
【符号の説明】
【００３８】
１，１Ａ  プラズマディスプレイ（表示装置）
２  表示パネル
１３  駆動データ生成部
１４  メモリ回路
１５  出力回路
１６，１６Ａ，１６Ｂ  アドレス電極ドライバ
１７Ａ，１７Ｂ  維持電極ドライバ
２１  コントローラ
２２  入力部
２３  モード指定部
２４  駆動制御部
【図１】
2006284780.tif 000003
【図２】
2006284780.tif 000004
【図３】
2006284780.tif 000005
【図４】
2006284780.tif 000006
【図５】
2006284780.tif 000007
【図６】
2006284780.tif 000008
【図７】
2006284780.tif 000009